(57)【要約】【課題】  画像を最適なサイズで表示することが可能なデジタルカメラを提供する。【解決手段】  ＥＬディスプレイ１２の表示面１７には、撮影者の手が接触した時に接触位置を検出するタッチセンサが設けられている。システムコントローラは、タッチセンサにより接触位置が検出されていない時は、被写体画像４２を表示面１７に全画面表示し、接触位置が検出された時は、接触位置を避けて被写体画像４２を表示面１７に縮小表示する。また、システムコントローラは、タッチセンサにより接触位置が検出された時に、ＭＥＮＵボタン４３、ＥＲＡＳＥボタン４４、ＭＯＤＥボタンを被写体画像４２の周辺に表示する。【選択図】        図６
2005303728.tif 000002
【特許請求の範囲】
【請求項１】
被写体を撮像する撮像手段と、前記撮像手段により撮像された画像、及び再生画像を表示する表示手段とを備えたデジタルカメラにおいて、
前記表示手段の表示面に設けられ、前記表示面に撮影者の手が接触した時に接触位置を検出する接触位置検出手段と、
前記接触位置検出手段により前記接触位置が検出されていない時は、前記画像または前記再生画像が前記表示面に全画面表示され、前記接触位置が検出された時は、前記接触位置を避けて前記画像または再生画像が前記表示面に縮小表示されるように前記表示手段を制御する制御手段とを備えたことを特徴とするデジタルカメラ。
【請求項２】
前記制御手段は、前記接触位置検出手段により前記接触位置が検出された時に、前記表示手段を制御して、撮影者により操作される操作ボタンを前記画像または前記再生画像の周辺に表示することを特徴とする請求項１記載のデジタルカメラ。
【請求項３】
前記表示手段は、光を透過する透明部材で形成されており、被写体像を透過させてフレーミングする時に、前記制御手段は、撮影者のズーム操作に基づいて、撮影範囲を示す撮影枠のサイズを変化させて表示することを特徴とする請求項１または請求項２記載のデジタルカメラ。
【請求項４】
前記表示手段は、正面及び背面の両面に前記表示面を備え、前記制御手段は、前記表示手段を制御して、前記表示面の一方に選択的に前記画像及び前記再生画像を表示することを特徴とする請求項１ないし請求項３のいずれか記載のデジタルカメラ。
【請求項５】
前記制御手段は、撮影者自身の撮影を行うセルフ撮影モードに切り替えられた時に、前記表示手段を制御して、正面側の前記表示面に前記画像を表示することを特徴とする請求項１ないし請求項４のいずれか記載のデジタルカメラ。
【請求項６】
前記制御手段は、前記接触位置検出手段により、前記接触位置が正面側の前記表示面にて検出された時に、前記セルフ撮影モードに切り替えることを特徴とする請求項１ないし請求項５のいずれか記載のデジタルカメラ。
【請求項７】
前記制御手段は、前記接触位置検出手段により検出された前記接触位置、及び前記接触位置の組合せに基づいて、各種処理を実行することを特徴とする請求項１ないし請求項６のいずれか記載のデジタルカメラ。
【請求項８】
カメラ本体の動きを検出する動き検出手段を備え、前記制御手段は、前記動き検出手段により検出されたカメラ本体の動きに基づいて、各種処理を実行することを特徴とする請求項１ないし請求項７のいずれか記載のデジタルカメラ。
【請求項９】
前記カメラ本体を収納する収納ケースから、前記カメラ本体を取り出した時に、自動的に電源がオンにされることを特徴とする請求項１ないし請求項８のいずれか記載のデジタルカメラ。
【発明の詳細な説明】
【技術分野】
【０００１】
本発明は、撮像手段にて撮像された画像を表示する表示手段を備えたデジタルカメラに関するものである。
【背景技術】
【０００２】
ＣＣＤイメージセンサ等の撮像手段と、この撮像手段により撮像された画像を表示するＬＣＤパネル等の表示手段とを備えたデジタルカメラが知られている。このようなデジタルカメラでは、カメラの背面に前述の表示手段が設けられており、撮影前のプレビュー画像や撮影済み画像が表示手段に表示される。
【０００３】
近年、デジタルカメラは、急速に小型化が進んでいるおり、さらなる小型化が要求されている。これに対して、ＬＣＤ等の表示手段は、表示画像を見やすくするために、より大きな表示画面を有するものが望まれている。しかしながら、カメラに大画面の表示手段を搭載し、カメラ本体のサイズに対して表示手段の占める割合が大きくなると、撮影時にカメラを握るグリップ部が小さくなり、カメラを把持しにくくなるという問題があった。また、カメラを把持する手で表示画面が覆われて表示画像の一部が見えなくなるという問題があった。
【０００４】
このような問題を解決するために、撮影モードと再生モードとを切り換えるモード切替手段を備え、モード切替手段により再生モードに切り換えられた時は、表示手段に画像を全画面表示し、撮影モードに切り換えられた時は、撮影者の手によって覆われる部分を避けて画像を縮小表示して画像全体を確認可能なデジタルが知られている（例えば、特許文献１参照）。
【０００５】
【特許文献１】特開平１１−２８９４８４号公報
【発明の開示】
【発明が解決しようとする課題】
【０００６】
しかしながら、上記特許文献１に記載のデジタルカメラでは、モード切替手段によって撮影モードに切り換えられた時は、撮影者の手によって表示画面が覆われていなくても、表示画像が常に縮小表示されてしまうため、撮影時にフレーミングを行いにくいという問題があった。
【０００７】
本発明は、画像を最適なサイズで表示することが可能なデジタルカメラを提供することを目的とする。
【課題を解決するための手段】
【０００８】
本発明のデジタルカメラは、被写体を撮像する撮像手段と、前記撮像手段により撮像された画像、及び再生画像を表示する表示手段とを備えたデジタルカメラにおいて、前記表示手段の表示面に設けられ、前記表示面に撮影者の手が接触した時に接触位置を検出する接触位置検出手段と、前記接触位置検出手段により前記接触位置が検出されていない時は、前記画像または前記再生画像が前記表示面に全画面表示され、前記接触位置が検出された時は、前記接触位置を避けて前記画像または再生画像が前記表示面に縮小表示されるように前記表示手段を制御する制御手段とを備えたことを特徴とするものである。
【０００９】
また、前記制御手段は、前記接触位置検出手段により前記接触位置が検出された時に、前記表示手段を制御して、撮影者により操作される操作ボタンを前記画像または前記再生画像の周辺に表示することが好ましい。
【００１０】
さらに、前記表示手段は、光を透過する透明部材で形成されており、被写体像を透過させてフレーミングする時に、前記制御手段は、撮影者のズーム操作に基づいて、撮影範囲を示す撮影枠のサイズを変化させて表示することが好ましい。
【００１１】
また、前記表示手段は、正面及び背面の両面に前記表示面を備え、前記制御手段は、前記表示手段を制御して、前記表示面の一方に選択的に前記画像及び前記再生画像を表示することが好ましい。
【００１２】
さらに、前記制御手段は、撮影者自身の撮影を行うセルフ撮影モードに切り替えられた時に、前記表示手段を制御して、正面側の前記表示面に前記画像を表示することが好ましい。
【００１３】
また、前記制御手段は、前記接触位置検出手段により、前記接触位置が正面側の前記表示面にて検出された時に、前記セルフ撮影モードに切り替えることが好ましい。
【００１４】
さらに、前記制御手段は、前記接触位置検出手段により検出された前記接触位置、及び前記接触位置の組合せに基づいて、各種処理を実行することが好ましい。
【００１５】
また、カメラ本体の動きを検出する動き検出手段を備え、前記制御手段は、前記動き検出手段により検出されたカメラ本体の動きに基づいて、各種処理を実行することが好ましい。
【００１６】
さらに、前記カメラ本体を収納する収納ケースから、前記カメラ本体を取り出した時に、自動的に電源がオンにされることが好ましい。
【発明の効果】
【００１７】
本発明のデジタルカメラによれば、撮影者の手が、表示手段の表示面に触れている場合、接触位置を避けて表示する画像を縮小表示するので、表示される画像全体を確認することが可能である。また、撮影者の手が表示面に触れていない場合、画像が全画面表示される。このため、撮影時のフレーミングが行いやすく、さらに、再生時に再生画像を確認し易い。
【００１８】
また、撮影者により操作される操作ボタンを画像の周辺に表示するようにしたので、ボタン等で構成される操作部をカメラ本体に設ける必要がないので、カメラ本体を小型化することができる。また、表示手段が光を透過する透明な部材で形成され、透過した被写体像を見ながらフレーミングを行うことにより、表示手段で消費される電力を低減することができる。
【発明を実施するための最良の形態】
【００１９】
最初に、第１の実施形態であるデジタルカメラについて説明する。図１は、デジタルカメラの外観斜視図であり、図２は背面図である。図１に示すように、デジタルカメラ１０は、カメラ本体１１と、カメラ本体１１の中央に設けられた表示手段であるＥＬディスプレイ１２と、このＥＬディスプレイ１２の左側部に設けられ、撮影者によって把持されるグリップ部１３と、このグリップ部１３の上部に設けられた撮影レンズ１４と、カメラ本体１１の上面に設けられたシャッタボタン１５とを備えている。
【００２０】
ＥＬディスプレイ１２は、光を透過する透明な部材で形成されており、画像が表示されていない時は、反対側の像が見える。また、図２に示すように、背面側に表示面１７を備えており、この表示面１７には、光透過性を有するタッチセンサ１８が設けられている。このタッチセンサ１８は、撮影者の手が表示面１７に接触した時に接触位置を検出する接触位置検出手段であり、接触位置を検出できれば良く、アナログ容量結合方式、５線式アナログ抵抗膜方式、超音波表面弾性波方式、４線式アナログ抵抗膜方式等のいずれの方式でも良いが、透過性が高く鮮明な画像を表示可能な超音波表面弾性波方式が好ましい。このタッチセンサ１８は、表示面１７の下部を覆うセンサ１８ａと、グリップ部１３側の側部を覆うセンサ１８ｂとで形成されている。また、シャッタボタン１５の上面にもタッチセンサ１６が設けられている。
【００２１】
さらに、カメラ本体１１の側面には、出力部１９及びスイッチ部２０が設けられている。出力部１９は、カメラ本体１１内に記憶された画像データを外部機器、例えばパソコン等に出力するために設けられている。
【００２２】
スイッチ部２０は、押圧されたことを検出する押圧センサを開口の内部に備えており、図３に示すように、カメラケース４０にカメラ本体１１を収納した収納状態（図３（Ａ）に示す状態）では、カメラケース４０の底面に形成された突起部４１により押圧センサが押圧されて電源がＯＦＦになり、カメラケース４０からカメラ本体１１を取り出した状態（図３（Ｂ）に示す状態）では、押圧センサが突起部４１によって押圧されずに電源がＯＮになる。
【００２３】
図４は、デジタルカメラ１０の電気的構成を示すブロック図である。図４に示すように、デジタルカメラ１０には、カメラ全体を制御する制御手段であるシステムコントローラ２１が設けられている。システムコントローラ２１の内部には、制御プログラムや各種制御用のデータ等が記憶されたメモリが設けられており、これらのプログラムやデータに基づいて各部を制御する。
【００２４】
撮影レンズ１４は、モータを含むレンズ駆動機構２２によって駆動される。モータドライバ２３は、システムコントローラ２１からの指令に基づいてレンズ駆動機構２２を制御することにより、撮影レンズ１４を光軸方向に進退移動させて、光学撮影倍率の変更と、焦点調整を行う。撮影レンズ１４の背後には、撮像手段であるＣＣＤイメージセンサ２４が配置されている。
【００２５】
ＣＣＤイメージセンサ２４は、ＣＣＤドライバ２５を介してシステムコントローラ２１に接続されている。システムコントローラ２１は、ＣＣＤドライバ２５を制御することによりＣＣＤイメージセンサ２４を駆動させて、光電変換により被写体像を電気信号に変換した撮像信号を相関二重サンプリング回路（ＣＤＳ）２６に出力させる。
【００２６】
アナログ信号である撮像信号のノイズが、ＣＤＳ２６で除去され、さらにＡＭＰ２７にて撮像信号が増幅される。その後、撮像信号は、Ａ／Ｄ変換器２８にてアナログ信号からデジタル信号に変換されて、画像入力コントローラ２９に画像データとして出力される。
【００２７】
画像入力コントローラ２９は、データバス３０を介してシステムコントローラ２１に接続されている。システムコントローラ２１は、画像入力コントローラ２９を制御して、画像データを記憶部３１に記憶させる。記憶部３１は、ビデオメモリやバッファメモリ等の作業用メモリや、撮影済みの画像データを記憶する保存用メモリを備えている。
【００２８】
ビデオメモリは、ＥＬディスプレイ１２に画像を表示させる際に、解像度の低い画像データが一時的に記憶される。このビデオメモリに記憶された画像データは、データバス３０を介してＥＬドライバ３２に送信される。ＥＬドライバ３２は、ＥＬディスプレイ１２に画像を表示できるように、画像データに対して信号処理を施して、画像をＥＬディスプレイ１２に表示させる。
【００２９】
また、バッファメモリは、撮像された高解像度の画像データが一時的に記憶される。システムコントローラ２１には、データバス３０を介して画像信号処理部３３が接続されている。画像信号処理部３３は、撮像された高解像度の画像データがバッファメモリに記憶されている間に、各種画像処理、例えば、階調変換、色変換、ハイパートーン処理、及びハイパーシャープネス処理等を施す。
【００３０】
システムコントローラ２１には、データバス３０を介して圧縮伸張処理部３４及び出力部１９が接続されている。システムコントローラ２１は、記憶部３１のバッファメモリに記憶された画像データに対してＪＰＥＧ方式等の圧縮形式により圧縮処理を施す。圧縮処理された画像データは、保存用メモリに記憶される。また、圧縮伸張処理部３４は、保存用メモリに記憶された画像データに対して伸張処理を行う。出力部１９は、例えばＵＳＢ端子であり、保存用メモリに記憶された画像データをＵＳＢケーブルを介して外部機器（例えば、パソコン等）に出力する。なお、出力部１９は、画像データを無線で送信可能な赤外線送信装置等でも良い。
【００３１】
さらに、システムコントローラ２１には、シャッタボタン１５、タッチセンサ１８、及びスイッチ部２０が接続されている。シャッタボタン１５は、押圧操作された時に撮影の指令をシステムコントローラ２１に出力する。また、タッチセンサ１６は、図５（Ａ）に示す位置から図５（Ｂ）に示す位置に向かって撮影者の指が触れながら移動した時に、テレ端側に撮影レンズ１４を移動させる信号をシステムコントローラ２１に出力し、図５（Ｂ）に示す位置から図５（Ａ）に示す位置に向かって撮影者の指が触れながら移動した時に、ワイド端側に撮影レンズ１４を移動させる信号をシステムコントローラ２１に出力する。なお、指の移動方向に対する撮影レンズ１４の移動方向は、適宜設計変更することが可能である。
【００３２】
タッチセンサ１８は、撮影者の手が触れた接触位置を検出して、システムコントローラ２１に検出信号を出力する。システムコントローラ２１は、ＥＬディスプレイ１２の表示面１７に画像を全画面表示している時に、タッチセンサ１８から接触位置の検出信号を取得すると、この接触位置を避けた位置に画像を縮小して表示する。また、システムコントローラ２１は、タッチセンサ１８がある位置に各種操作ボタンを表示する。撮影者の指が、この操作ボタンに触れたことが検出されると、システムコントローラ２１は、各部を制御して各操作ボタンに対応する処理を実行させる。
【００３３】
次に、上記構成のデジタルカメラ１０の作用を説明する。図３（Ｂ）に示すように、カメラケース４０からデジタルカメラ１０を取り出すことにより、デジタルカメラ１０の電源がＯＮになる。その後、デジタルカメラ１０を用いて撮影を行う場合、撮影者はグリップ部１３を把持してフレーミングを行う。この時、撮影者の手が表示面１７に触れていない場合、図６（Ａ）に示すように、表示面１７に被写体画像４２を全画面表示する。
【００３４】
また、撮影者の手が表示面１７に触れている場合、タッチセンサ１８によって接触位置が検出され、システムコントローラ２１は、接触位置の情報に基づいて、図６（Ｂ）に示すように、被写体画像４２を縮小して接触位置を避けて表示面１７に被写体画像４２を表示させる。この時、被写体画像４２の表示エリア周辺は、画像が表示されないため透明部となるが、この透明部にはＭＥＮＵボタン４３、ＥＲＡＳＥボタン４４、ＭＯＤＥボタン４５が表示される。撮影者が、ＭＥＮＵボタン４３を指で触れると複数の設定項目で構成されるメニュー画面が表示される。また、ＥＲＡＳＥボタン４４を指で触れると、保存用メモリに記憶される前の画像を保存せずに消去することができる。また、ＭＯＤＥボタン４５を触れると、撮影モードから再生モードにモードを切り替えることができる。
【００３５】
撮影者は、表示面１７に表示された被写体画像４２を見ながら、図５に示すように、タッチセンサ１６上で指を移動させることにより、ズーム操作を行う。その後、フレーミングを行って、シャッタボタン１５を押圧操作することにより撮影が実行されて、記憶部３１内の保存用メモリに画像データが記憶される。
【００３６】
また、記憶部３１内の保存用メモリに記憶された画像データを再生する際は、撮影者は、撮影時と同様に、グリップ部１３を把持して再生を行う。撮影者の手が表示面１７に触れていない場合、図７（Ａ）に示すように、記録画像４６を表示面１７に全画面表示して再生を行う。
【００３７】
撮影者の手が表示面１７に触れている場合、タッチセンサ１８によって接触位置が検出され、システムコントローラ２１は、この接触位置の情報に基づいて、図７（Ｂ）に示すように、接触位置を避けて表示面１７に記録画像４６を縮小表示させて再生する。この時、記録画像４６の表示エリアの周辺は、画像が表示されないため透明部となるが、この透明部には、前述のＭＥＮＵボタン４３、ＥＲＡＳＥボタン４４、及びＭＯＤＥボタン４５が表示され、さらに、再生画像を順送りする際に操作される送りボタン４７と、逆送りする際に操作される逆送りボタン４８とが表示される。
【００３８】
撮影者は、各操作を行う際に対応する操作ボタンを触れることで操作を実行させることができる。撮影者の指が、ＥＲＡＳＥボタン４４に触れると表示面１７に表示されている記録画像４６が保存用メモリから消去される。また、ＭＯＤＥボタン４５に触れることにより、再生モードから撮影モードにモードが切り替えられる。
【００３９】
以上、デジタルカメラ１０の作用を説明したが、撮影及び再生を行う際に、撮影者の手が表示面１７に触れている場合、画像を縮小して接触位置を避けて表示するようにしたので、手が邪魔で画像が確認しづらくなることはないので、常に表示面１７に表示されている画像全体を確認することができる。
【００４０】
また、撮影者の手が表示面１７に触れていない場合、表示面１７に画像が全画面表示されるので、撮影時のフレーミングが行いやすく、さらに、再生時は記録画像の確認を容易に行うことができる。
【００４１】
さらに、ＥＬディスプレイの表示面に操作ボタンが表示されるようにしたので、シャッタボタン以外の操作部材をカメラ本体１１に設ける必要がないので、カメラ本体１１を小型化することができる。
【００４２】
次に、第２の実施形態であるデジタルカメラ５０について説明する。図８は、デジタルカメラ５０の正面図、図９は、その背面図である。図８に示すように、デジタルカメラ５０は、カメラ本体５１と、カメラ本体５１の中央に設けられたＥＬディスプレイ５２と、このＥＬディスプレイ５２の左側部に設けられ、撮影者によって把持されるグリップ部５３と、このグリップ部５３の上部に設けられた撮影レンズ５４とを備えている。デジタルカメラ５０は、第１の実施形態であるデジタルカメラ１０とは異なり、シャッタボタンは設けられていない。
【００４３】
ＥＬディスプレイ５２は、光を透過する透明な部材で形成されており、図８に示すように、正面側に表示面５５を備えている。この表示面５５には、タッチセンサ５６が設けられている。このタッチセンサ５６は、表示面５５の上下部をそれぞれ覆うセンサ５６ａ，５６ｂと、左右部をそれぞれ覆うセンサ５６ｃ，５６ｄとで構成され、全体が枠形状にされている。
【００４４】
また、ＥＬディスプレイ５２は、図９に示すように、背面側にも表示面５７を備えている。この表示面５７は、タッチセンサ５８が設けられている。このタッチセンサ５８は、タッチセンサ５６と同様に、センサ５８ａ〜５８ｄで構成され、全体が枠形状にされている。
【００４５】
さらに、カメラ本体５１の背面側には、測距センサ５９が設けられている。この測距センサ５９は、カメラ本体５１と撮影者との距離を測定するセンサである。測距センサ５９としては、例えば、赤外線測距センサ等が用いられる。
【００４６】
デジタルカメラ５０は、タッチセンサ５６，５８のグリップ部５３側のセンサ５６ｃ，５８ｃを両面から同時に指で触れると電源がＯＮになる。また、グリップ部５３とは反対側のセンサ５６ｄ，５８ｄを両面から同時に指でふれると電源がＯＦＦになるようにされている。なお、電源ＯＮ，ＯＦＦの操作は、これらの組合せに限定されるものではなく、適宜設定変更可能である。
【００４７】
図１０は、デジタルカメラ５０の電気的構成を示すブロック図である。図１０に示すように、デジタルカメラ５０の電気的構成の主要部は、デジタルカメラ１０の構成と同様であるので、同一の部品には同一の符号を付して詳しい説明を省略する。
【００４８】
デジタルカメラ５０は、前述のようにＥＬディスプレイ５２の表示面５５，５７にタッチセンサ５６，５８を備えており、これらがシステムコントローラ２１に接続されている。システムコントローラ２１は、タッチセンサ５６，５８から接触位置の検出信号を取得して、これらの検出信号に基づいて各種処理を実行する。
【００４９】
また、システムコントローラ２１には、撮影者とカメラ本体５１との距離を検出する測距センサ５９と、カメラ本体５１の動きを検出する動き検出センサ６０とが接続されている。測距センサ５９は、撮影者とカメラ本体５１との距離を検出して検出信号をシステムコントローラ２１に出力する。システムコントローラ２１は、この距離に基づいて撮影レンズ５４を光軸方向に進退移動させて、光学撮影倍率の変更を行う。
【００５０】
動き検出センサ６０としては、例えば、角速度を検出するジャイロセンサ等を用いる。動き検出センサ６０は、カメラ本体５１の動きを検出して検出信号をシステムコントローラ２１に出力する。システムコントローラ２１は、この検出信号に基づいて、カメラ本体５１の動きに対応する処理を実行する。なお、動き検出センサ６０は、傾きを検出する傾きセンサでも良い。
【００５１】
次に、上記構成のデジタルカメラ５０の作用を説明する。デジタルカメラ５０は、表示面５５，５７のグリップ部５３側のセンサ５６ｃ，５８ｃを両面から同時に指で触れることにより電源がＯＮになる。また、撮影モード及び再生モードの切り換えは、カメラ本体５１を回転させて、撮影者に対する表示面５５，５７の向きを変更することにより、システムコントローラ２１が動き検出センサ６０から検出信号を取得して、モードの切り替えを行う。
【００５２】
最初に撮影モードについて説明する。デジタルカメラ５０を用いて撮影を行う際は、撮影者は、表示面５７が撮影者に対面するようにカメラ本体５１を把持する。デジタルカメラ５０は、デジタルカメラ１０と同様に、撮影者の手が表示面５７に触れていない場合、被写体画像を表示面５７に全画面表示する。また、撮影者の手が表示面５７に触れている場合、タッチセンサ５８によって接触位置が検出され、システムコントローラ２１は接触位置の情報に基づいて、図１１に示すように、被写体画像６１を縮小して、接触位置を避けて表示面５７の中央部に被写体画像６１を表示する。この時、被写体画像６１の表示エリア周辺は、画像が表示されないので透明部となる。この透明部には、ＭＥＮＵボタン６２が表示される。撮影者の指が、このＭＥＮＵボタン６２に触れると、図１２に示すようなメニュー画面６５が表示面５７に表示される。
【００５３】
メニュー画面６５は複数の項目で構成され、ホワイトバランスを調整するＷＢボタン６６と、連写設定を行う連写ボタン６７と、撮影画像の画素数を設定するピクセルボタン６８と、前の画面に戻す時に操作される戻るボタン６９とを備えている。タッチセンサ５８を上下に指でなぞることにより、カーソルが移動して各項目を選択することができる。例えば、図１２に示すように、ピクセルボタン６８にカーソルを合わせた時に、ピクセルボタン６８に対応する設定値が表示され、同様にカーソルを移動させることにより設定値が選択される。
【００５４】
また、デジタルカメラ５０では、撮影者が腕を動かすことによってカメラ本体５１と撮影者との距離を変化させることによりズーム操作が行われる。測距センサ６０は、カメラ本体５１と撮影者との距離を検出して、システムコントローラ２１に検出信号を出力する。この時、システムコントローラ２１は、この距離に基づいて撮影レンズ５４を光軸方向に進退移動させて、光学撮影倍率の変更を行う。この距離に対応する撮影レンズ５４の位置は、適宜設計変更可能である。
【００５５】
撮影を行う際は、把持している側と逆側（グリップ部５３と反対側）のセンサ５８ｄに撮影者の指が触れることで撮影が実行され、その指を離すことにより保存用メモリに画像データが記憶される。また、その指を離さずに右にずらすことにより、図１１に示すように、ＥＲＡＳＥボタン６３が表示される。このＥＲＡＳＥボタン６３に撮影者の指が触れることにより、撮影画像データが保存用メモリに記憶されずに消去される。
【００５６】
また、自分撮りを行う際は、表示面５５が撮影者に対面するようにグリップ部５３を把持し、撮影者の手が表示面５５のグリップ部５３側のセンサ５６ｃに触れたことが検出されると、セルフ撮影モードとなる。この場合は、被写体画像が表示面５５に表示されるので、撮影者は表示面５５に表示された自分の画像を確認しながらフレーミングを行って撮影することができる。
【００５７】
次に、再生モードについて説明する。前述したように、表示画面５７が撮影者に対面する位置から表示面５５が撮影者に対面する位置にカメラ本体５１を回転移動した時に、再生モードに切り替わる。再生モードでは、保存用メモリに記憶された画像が表示面５５に表示される。デジタルカメラ５０は、デジタルカメラ１０と同様に、撮影者の手が表示面５５に触れていない場合、記録画像を全画面表示する。また、表示面５５に触れている場合、タッチセンサ５６により接触位置が検出されて検出信号がシステムコントローラ２１に出力される。
【００５８】
システムコントローラ２１は、この接触位置に基づいて、記録画像を縮小して接触位置を避けて表示面５５に記録画像を表示させる。このように、記録画像を表示面５５に表示している時に、カメラ本体５１を傾けると、動き検出センサ６０によってカメラ本体５１の動きが検出されて、再生画像がコマ送りまたはコマ戻しされる。
【００５９】
再生画像のコマ送りまたはコマ戻し操作は、図１３に示すように、カメラ本体１１を鉛直方向、つまり図中矢印で示す方向に回転移動された時にコマ送りされる。また、逆方向に回転移動された時にコマ戻しされる。なお、このコマ送りまたはコマ戻し操作は、この方向に限らず、例えば、図１４に示すように、カメラ本体５１を水平方向、つまり図中矢印で示す方向に回転移動された時にコマ送りされ、逆方向に回転移動された時にコマ戻しされるようにしても良いし、カメラ本体５１を移動させる方向は、適宜設定変更可能である。また、ホールド状態、例えば、撮影者の手がタッチセンサ５６，５８に触れている時は、カメラ本体５１を回転移動させてもコマ送りまたはコマ戻しされないようにされている。
【００６０】
また、再生モードにおいて、図１５に示すように、サムネイルを表示面５５に一覧表示しても良い。この場合、一覧表示されたサムネイルを確認することにより、撮影済みの画像を検索することができる。通常の画像表示からサムネイルの一覧表示への切り替えは、カメラ本体５１を所定の方向に移動によって行われる。また、撮影者と表示面５５との距離を検出する測距センサをカメラ本体５１の前面側に設けて、撮影者が腕を動かすことにより、通常画像表示とサムネイルの一覧表示とが切り替えられるようにしても良い。
【００６１】
サムネイルが一覧表示された時に、所定のサムネイルを選択するには、コマ送り（コマ戻し）操作の場合と同様に、カメラ本体５１を回転移動させることによりカーソルを移動させて選択する。所定のサムネイルを選択後、通常画像表示に切り替えられると選択されたサムネイルに対応する画像が通常表示される。
【００６２】
なお、第２の実施形態であるデジタルカメラ５０の作用の説明においては、撮影者がＥＬディスプレイ５２に表示された被写体画像６１を見ながらフレーミングを行うように説明したが、これに限るものではなく、撮影時に、ＥＬディスプレイ５２を透過した被写体像７１を見てフレーミングするようにしても良い。この場合、システムコントローラ２１は、図１６（Ａ）に示すように、撮影範囲を示す撮影枠７２を表示面５７に表示して、前述のズーム操作に基づいて、この撮影枠７２のサイズを変更する。また、撮影枠７２の周辺は、図１６（Ｂ）に示すように、被写体像７１が見えないように黒表示してマスクしても良い。また、デジタルカメラ１０にて、同様に撮影枠を表示して、ＥＬディスプレイ１２を透過した被写体像７１を見ながらフレーミングするようにしても良い。このようにＥＬディスプレイ１２，５２を透過した被写体像を見ながらフレーミングを行う場合、ＥＬディスプレイ１２，５２で消費される電力が低減される。
【００６３】
前述のように、撮影及び再生を行う際に、撮影者の手が表示面５５，５７に触れている場合、接触位置を避けて画像を縮小表示するようにしたので、手が邪魔で画像が確認しづらくなることはないので、常に表示面５５，５７に表示されている画像全体を確認することができる。
【００６４】
また、撮影者の手が表示面５５，５７に触れていない場合、画像が表示面５５，５７に全画面表示されるので、撮影時のフレーミングが行いやすく、さらに、再生時は記録画像の確認を容易に行うことができる。
【００６５】
前述のように、システムコントローラ２１は、動き検出センサ６０により検出されるカメラ本体の動きと、タッチパネル５７，５９により検出される接触位置とに基づいて、対応する処理を実行する。このため、複数のボタン等で構成される操作部をカメラ本体５１に設ける必要がないので、カメラ本体５１を小型化することができる。
【００６６】
なお、上記第１及び第２実施形態において、タッチセンサを表示面の端部に設けるように説明したが、これに限るものではなく、例えば、表示面全体を覆うように設けても良い。また、表示面に設けられたタッチセンサの接触位置に基づいて、各種操作が実行されるように説明したが、カメラ本体の側面にタッチセンサを設けて、このタッチセンサが撮影者によって触れられた時に、各種操作を実行するようにしても良い。
【００６７】
また、上記第１及び第２実施形態において、表示手段として有機ＥＬディスプレイを用いるように説明したが、無機ＥＬディスプレイを用いても良い。しかし、有機ＥＬの方がカラー画像を表示するのに適しているので、カラー表示する場合、有機ＥＬを用いることが好ましい。
【００６８】
さらに、上記第１及び第２実施形態において、透明な部材で形成された表示手段を用いるように説明したが、表示手段は透明でなくても良い。また、表示手段としてＥＬディスプレイを用いるように説明したが、これに限るものではなく、透過型のＬＣＤパネルでも良い。この場合、透過型のＬＣＤパネルは、バックライトを設けずに外光を利用するため、理想的な白色光が入射する場合は問題ないが、周囲が暗い場合や白色光が得られない場合は、鮮明なカラー画像を表示することが難しいので、カラー表示する場合は、ＥＬディスプレイを用いることが好ましい。また、背面側に透過型のＬＣＤパネル、表面側にＥＬディスプレイを設けて、透過型のＬＣＤパネルに画像を表示する際に、ＥＬディスプレイをバックライトとして用いるようにしても良い。
【図面の簡単な説明】
【００６９】
【図１】第１の実施形態であるデジタルカメラの外観斜視図である。
【図２】第１の実施形態であるデジタルカメラの背面図である。
【図３】カメラケースの構成を示す斜視図である。
【図４】デジタルカメラの電気的構成を示すブロック図である。
【図５】ズーム操作を示す説明図である。
【図６】再生モードでの画像表示を示す説明図である。
【図７】撮影モードでの画像表示を示す説明図である。
【図８】第２の実施形態のデジタルカメラの正面図である。
【図９】第２の実施形態のデジタルカメラの背面図である。
【図１０】デジタルカメラの電気的構成を示すブロック図である。
【図１１】撮影モードでの画像表示を示す説明図である。
【図１２】メニュー画面を示す説明図である。
【図１３】コマ送り操作を示す説明図である。
【図１４】コマ送り操作を示す説明図である。
【図１５】サムネイルを一覧表示した状態を示す説明図である。
【図１６】撮影枠を示す説明図である。
【符号の説明】
【００７０】
１０，５０  デジタルカメラ
１１，５１  カメラ本体
１２，５２  ＥＬディスプレイ
１３，５３  グリップ部
１４，５４  撮影レンズ
１５  シャッタボタン
１７，５５，５７  表示面
１６，１８，５６，５８  タッチセンサ
１７，５５，５７  表示面
２１  システムコントローラ
２４  ＣＣＤイメージセンサ
４３，６２  ＭＥＮＵボタン
４４，６３  ＥＲＡＳＥボタン
４５  ＭＯＤＥボタン
６０  動き検出センサ
７２  撮影枠
【図１】
2005303728.tif 000003
【図２】
2005303728.tif 000004
【図３】
2005303728.tif 000005
【図４】
2005303728.tif 000006
【図５】
2005303728.tif 000007
【図６】
2005303728.tif 000008
【図７】
2005303728.tif 000009
【図８】
2005303728.tif 000010
【図９】
2005303728.tif 000011
【図１０】
2005303728.tif 000012
【図１１】
2005303728.tif 000013
【図１２】
2005303728.tif 000014
【図１３】
2005303728.tif 000015
【図１４】
2005303728.tif 000016
【図１５】
2005303728.tif 000017
【図１６】
2005303728.tif 000018